(57)【要約】【課題】迅速に三次元座標を測位することを目的とする。【解決手段】音波信号を受信する２つのマイクロホンからなる受波器対を３対備え、マイクロホンの第一の対を構成する２つのマイクロホン２１，２２が、ｘ軸上に座標原点２を挟んで対称に配置され、マイクロホンの第二の対を構成する２つのマイクロホン２３，２４が、座標原点２を通りかつｘ軸に直交するｙ軸上に座標原点２を挟んで対称に配置され、マイクロホンの第三の対を構成する２つのマイクロホン２５，２６が、座標原点２を通りかつｘ軸およびｙ軸に直交するｚ軸上に、座標原点２を挟んで対称に配置されていることを特徴とする三次元受波装置３を用いる。【選択図】図１
2010203811.tif 000002
【特許請求の範囲】
【請求項１】
音波信号を受信する２つの受波器からなる受波器対を３対備え、
第１受波器対を構成する２つの前記受波器が、ｘ軸上に、座標原点を挟んで対称に配置され、
第２受波器対を構成する２つの前記受波器が、前記座標原点を通りかつ前記ｘ軸に直交するｙ軸上に、該座標原点を挟んで対称に配置され、
第３受波器対を構成する２つの前記受波器が、前記座標原点を通りかつ前記ｘ軸および前記ｙ軸に直交するｚ軸上に、該座標原点を挟んで対称に配置されていることを特徴とする三次元受波装置。
【請求項２】
前記受波器は、前記ｘ軸と前記ｙ軸と前記ｚ軸の軸上の三対の前記受波器が一体化されていることを特徴とする、請求項１に記載の三次元受波装置。
【請求項３】
空間を区画する壁面上の任意の測位点の三次元座標を求める測位装置において、
前記座標原点と前記壁面との離間距離を取得する取得部と、
前記ｘ軸と前記ｙ軸と前記ｚ軸のいずれか一つの軸が前記壁面に直交するように設置された請求項１または請求項２に記載の前記三次元受波器を有する受波装置と、
前記測位点に設置され音波信号を発信する送波器を有する送波装置と、
前記取得部に取得された前記離間距離と前記受波装置で受信した前記音波信号のデータから前記測位点の座標を演算する演算部と、
を備えたことを特徴とする、三次元測位装置。
【請求項４】
前記送波装置は、前記音波信号を発信する信号発生器と、前記信号発生器から発信された前記音波信号を駆動するパワーアンプと、前記測位点に設置されたスピーカーである前記送波器と、を有することを特徴とする請求項３に記載の三次元測位装置。
【請求項５】
前記受波装置は、前記音波信号を受信するマイクロホンを有する前記三次元受波器と、受信した前記音波信号を増幅させる増幅器と、増幅した前記音波信号から必要な前記音波信号を抽出するバンドパスフィルターと、前記音波信号を記録する波形記録装置を備えたことを特徴とする、請求項３または４に記載の三次元測位装置。
【請求項６】
前記演算部は、前記音波信号を演算する演算器と、演算結果を表示する表示器を備えたことを特徴とする、請求項３から５のいずれかに記載の三次元測位装置。
【請求項７】
複数の前記測位点に設置された前記送波器から発信される前記音波信号は、それぞれが異なる波形を有することを特徴とする、請求項３から６のいずれかに記載の三次元測位装置。
【請求項８】
複数の前記壁面に対し前記座標原点は共通とされ、複数の前記測位点に設置された前記送波器から発信される前記音波信号は、それぞれが異なる波形を有することを特徴とする、請求項３から７のいずれかに記載の三次元測位装置。
【請求項９】
空間を区画する壁面上の任意の測位点の三次元座標を特定する方法において、
前記測位点に設置された送波装置から音波信号を発信させ、
前記音波信号を受信する２つの受波器からなる受波器対を３対備え、
第１受波器対を構成する２つの前記受波器が、ｘ軸上に、座標原点を挟んで対称に配置され、
第２受波器対を構成する２つの前記受波器が、前記座標原点を通りかつ前記ｘ軸に直交するｙ軸上に、該座標原点を挟んで対称に配置され、
第３受波器対を構成する２つの前記受波器が、前記座標原点を通りかつ前記ｘ軸および前記ｙ軸に直交するｚ軸上に、該座標原点を挟んで対称に配置され、ｘ軸とｙ軸とｚ軸のいずれか１つの軸は、前記壁面に対して垂直となるように設置され、
前記座標原点と前記壁面との離間距離を取得し、  
受信した前記音波信号から前記座標原点における前記ｘ軸と前記ｙ軸と前記ｚ軸の各音響インテンシティベクトルを算出することによって、前記測位点の三次元座標を特定する三次元測位方法。
【請求項１０】
前記壁面上にある任意の複数の前記測位点において、
複数の前記測位点に設置された送波器を有する送波装置から発信される音波信号は、それぞれが異なる波形を有することを特徴とする、請求項９に記載の三次元測位方法。
【請求項１１】
複数の前記壁面上にある任意の複数の前記測位点において、
複数の前記測位点に設置された送波器を有する送波装置から発信される音波信号は、それぞれが異なる波形を有することを特徴とする、請求項９または１０に記載の三次元測位方法。
【発明の詳細な説明】
【技術分野】
【０００１】
本発明は、空間内の壁面上の点の三次元座標を求める三次元受波装置およびこれを備えた三次元測位装置ならびに三次元測位方法に関するものであり、主に、壁面で囲まれた大型タンク、ボイラの火炉等の保守点検時に、内部に作業者が入って保守検査等の作業を行う場合に、作業者の居場所あるいは検査箇所の位置を三次元座標で表して特定するためのものである。
【背景技術】
【０００２】
火力発電所で用いられるボイラ火炉は、製作時、及び、運転開始後定期的に開放し、内部に作業者が入り、製品検査や保守検査を行う。検査では、ボイラ火炉壁内に設置された配管の肉厚などを計測するのだが、それにはまず、検査箇所を明確にしておく必要がある。しかし、ボイラ火炉は容量が大きいため、目視によって検査箇所を正確に把握することは困難である。
従来は、検査箇所の高さ方向や左右方向の位置について、巻尺等を用いて測定することで作業者の居場所、即ち、検査箇所の位置を把握していたが、この方法では位置の把握作業だけでも多大な時間と人手を要していた。
【０００３】
そこで、三次元的に位置を特定することを目的とした三次元測位方法という方法を用いることが考えられる。この方法は、３点以上の座標が既知である点を基準点として、測位したい点までの距離を、音波を用いてその伝播速度と伝播時間から算出し、その距離を用いて位置を特定するものである。このような三次元測位方法は例えば特許文献１に開示されている。
【先行技術文献】
【特許文献】
【０００４】
【特許文献１】特開昭６３−２６６３７６号公報
【発明の概要】
【発明が解決しようとする課題】
【０００５】
しかし、従来の多くの三次元測位方法は、少なくとも３点の既知である点を地上表面に設置し、それらを基準点として、測位したい位置の距離を測定して三次元座標を算出するものであり、少なくとも基準点となる３点の座標位置を把握しておく必要があった。
また、特許文献１では、３点の既知である基準点によって形成される平面に対して、測位したい点がどちらの方向に位置しているのかを特定できる状態を前提として位置特定を行っており、３つの基準点によって形成される平面に対して表側か裏側であるかの方向を特定する必要性がそもそも存在しない。そのため、３点の基準点によって形成される平面に対して測位する点と対称な位置にある点とを区別することができない。この方法でボイラ火炉内などの屋内において床設置面から離れた位置に基準点を設置した場合、三箇所の基準点からの距離だけでは三箇所の基準点で形成される平面に対して測定点と対称な位置の点との判別ができないという問題がある。
他に、レーザを用いる方法としては、既知の基準点に設置したレーザ発信器から出されるレーザ光線を任意の測位したい点に設置されたセンサが受光して、その受光角度や到達時間からその位置を特定する方法があるが、レーザ光線は指向性が大きく、レーザ発信器と受波装置との間にレーザ光線を遮断するような障害物があると測定できないという問題がある。
また、検査作業時の課題としては、複数の測定したい点がある場合には、１箇所ずつ測位して手作業でデータを判別するなど、何らかの方法で、位置を識別できるようにしておく必要があった。
【０００６】
本発明は、このような事情に鑑みてなされたものであって、測位したい点から発信される音波信号を、簡便な設定によって三次元的に受波する三次元受波装置およびこれを備えた三次元測位装置ならびに三次元測位方法を提供することを目的とする。
【課題を解決するための手段】
【０００７】
上記課題を解決するために、本発明の三次元受波装置およびこれを備えた三次元測位装置ならびに三次元測位方法は以下の手段を採用する。
すなわち、本発明にかかる三次元受波装置は、音波信号を受信する２つの受波器からなる受波器対を３対備え、第１受波器対を構成する２つの前記受波器が、ｘ軸上に、座標原点を挟んで対称に配置され、第２受波器対を構成する２つの前記受波器が、前記座標原点を通りかつ前記ｘ軸に直交するｙ軸上に、該座標原点を挟んで対称に配置され、第３受波器対を構成する２つの前記受波器が、前記座標原点を通りかつ前記ｘ軸および前記ｙ軸に直交するｚ軸上に、該座標原点を挟んで対称に配置されていることを特徴とする。
【０００８】
このような三次元受波装置によれば、座標原点には音波信号を受信する受波器が、座標原点の各軸上に座標原点を挟んで対称に三対設置されている。したがって、各軸に対して２個ずつ合計６個の受波器が設けられている。
音波信号が伝播する空間に設置された一対の受波器は、音波信号を２箇所の設置位置で受信する。受波器は座標原点を挟んで対称に設けられているので、２箇所の設置位置の中心は座標原点となる。したがって、受波器が２箇所の設置位置で受信した一対の音波信号から２箇所の中心位置である座標原点における音響インテンシティベクトルを演算することができる。他の二対に対しても同様に座標原点における音響インテンシティベクトルを演算することができる。受波器が各軸に対して一対ずつ設けられているので、座標原点における各軸に対する音響インテンシティベクトルが一度に求められる。
【０００９】
上記の発明において、前記受波器は、前記ｘ軸と前記ｙ軸と前記ｚ軸の軸上の三対の前記受波器が一体化されていることを特徴とする。
このような三次元受波装置によれば、受波器は各軸に一対ずつ三対設けられ一体化されている。ここでの一体化とは、三対の受波器が適切に配置され相対位置関係が変化することが無いように固定された状態を表す。三対６個の受波器が三軸上に設置され一体化されているので１個毎に設置する必要がなく、一度に設置できる。一度に設置できるので設置準備を迅速に行うことができる。また、１個毎の座標校正が不要である。
【００１０】
本発明にかかる三次元測位装置は、空間を区画する壁面上の任意の測位点の三次元座標を求める測位装置において、前記座標原点と前記壁面との離間距離を取得する取得部と、  前記ｘ軸と前記ｙ軸と前記ｚ軸のいずれか一つの軸が前記壁面に直交するように設置された前記三次元受波器を有する受波装置と、前記測位点に設置され音波信号を発信する送波器を有する送波装置と、前記取得部に取得された前記離間距離と前記受波装置で受信した前記音波信号のデータから前記測位点の座標を演算する演算部と、を備えたことを特徴とする。
【００１１】
空間は壁面によって区画され、壁面には三次元座標が不明な測位点があるとき、測位点に音波信号を発信する送波器を設置し、送波器から音波信号を発信させる。発信された音波信号は、空間を伝播する。このような三次元測位装置によれば、座標原点は壁面上から離間した位置に設けられており、座標原点と壁面との離間距離が取得部に取得される。また、座標原点は、軸の一つが壁面に直交するように軸方向を定められている。座標原点には音波信号を受信する受波器が、座標原点の各軸上に座標原点を挟んで対称に対向して三対設置されている。
音波信号が伝播する空間に設置された一対の受波器は、音波信号を２箇所の設置位置で受信する。受波器は座標原点を挟んで対称に対向して設けられているので、２箇所の設置位置の中心は座標原点となる。受波器が２箇所の設置位置で受信した一対の音波信号は、受波装置の演算部へ送信される。演算部へ送信された一対の音波信号から２箇所の中心位置となる座標原点における音響インテンシティベクトルが演算される。受波装置は各軸に一対ずつ設けられているので、座標原点の各軸に対する音響インテンシティベクトルが一度に求まる。
空間に設けられた座標原点は軸の一つが測位点を含む壁面に直交するように軸方向を定められているので、座標原点における各軸に対する３軸方向の音響インテンシティベクトルと、取得部で取得された原点と壁面との離間距離の関係から幾何的に測位点の三次元座標を求めることができる。
【００１２】
本発明にかかる三次元測位装置は、前記送波装置が、前記音波信号を発信する信号発生器と、前記信号発生器から発信された前記音波信号を駆動するパワーアンプと、前記測位点に設置されたスピーカーである前記送波器と、を有することを特徴とする。
このような三次元測位装置によれば、送波装置は、音波信号を発信する信号発生器を備えている。信号発生器から発信された音波信号はパワーアンプによって駆動される。駆動された音波信号は測位点に設置されたスピーカーに送られる。音波信号は、スピーカーから発信される。したがって、パワーアンプにより駆動された音波信号は、測位点から発信される。
【００１３】
本発明にかかる三次元測位装置は、前記受波装置が、前記音波信号を受信するマイクロホンを有する前記三次元受波器と、受信した前記音波信号を増幅させる増幅器と、増幅した前記音波信号から必要な前記音波信号を抽出するバンドパスフィルターと、前記音波信号を記録する波形記録装置を備えたことを特徴とする。
このような三次元測位装置によれば、送波装置から発信され空間を伝播する音波信号は、マイクロホンを有する受波器によって受信される。受信された音波信号は、受波装置に備えられた増幅器により増幅される。増幅された音波信号は受波装置に備えられたバンドパスフィルターを通る。音波信号は、バンドパスフィルターを通るので、必要な音波信号を抽出することができる。抽出された音波信号は受波装置に備えられた波形記録装置に記録される。記録された波形データは、演算部へ送られる。
【００１４】
本発明にかかる三次元測位装置は、前記演算部は、前記音波信号を演算する演算器と、演算結果を表示する表示器を備えたことを特徴とする。
このような三次元測位装置によれば、受波装置から演算部の演算器へ送られた波形データを用いて各軸の音響インテンシティベクトルが演算される。空間に設けられた座標原点は、軸の一つが測位点を含む壁面に直交するように軸方向を定められているので、座標原点における各軸に対する３軸方向の音響インテンシティベクトルと、既知である原点と壁面との距離の関係から、測位点の三次元座標が幾何的に求められる。演算部は、表示器を備えているので、求められた測位点の三次元座標を表示器により表示することができる。
【００１５】
本発明にかかる三次元測位装置は、複数の前記測位点に設置された前記送波器から発信される前記音波信号は、それぞれが異なる波形を有することを特徴とする。
このような三次元測位装置によれば、複数の測位点に設置された送波器から、それぞれ異なる波形の音波信号が発信される。異なる波形とは、それぞれの測位点の音波信号が区別することのできる波形であり、例えば周波数の異なる音波信号が発信されることで区別することができる。
異なる波形が混在した音波信号は、空間を伝播して、受波器に受信される。受信された音波信号は、受波装置に備えられたバンドパスフィルターによって、波形別に分けられる。分けられた音波信号は、各測位点から発信される音波信号との比較によって、発信源である各々の測位点を同定することが可能となる。したがって、複数の測位点の同定を同時に行うことができる。
【００１６】
本発明にかかる三次元測位装置は、複数の前記壁面に対し前記座標原点は共通とされ、複数の前記測位点に設置された前記送波器から発信される前記音波信号は、それぞれが異なる波形を有することを特徴とする。
このような三次元測位装置によれば、複数の壁面に対し、一つの座標原点が定められている。複数の壁面上の測位点に設置された送波器から、それぞれ異なる波形の音波信号が発信される。異なる波形とは、それぞれの測位点の音波信号が区別することのできる波形であり、例えば周波数の異なる音波信号が発信されることで区別することができる。異なる波形が混在した音波信号は、空間を伝播して、受波器に受信される。受信された音波信号は、受波装置に備えられたバンドパスフィルターによって、各壁面に対する波形別に振り分けられる。振り分けられた音波信号は、各測位点から発信される音波信号との比較によって、発信源である測位点を同定することが可能となる。したがって、複数の壁面上にある複数の測位点の同定を同時に行うことができる。
【００１７】
本発明にかかる空間を区画する壁面上の任意の測位点の三次元座標を特定する三次元測位方法は、前記測位点に設置された送波装置から音波信号を発信させ、前記音波信号を受信する２つの受波器からなる受波器対を３対備え、第１受波器対を構成する２つの前記受波器が、ｘ軸上に、座標原点を挟んで対称に配置され、第２受波器対を構成する２つの前記受波器が、前記座標原点を通りかつ前記ｘ軸に直交するｙ軸上に、該座標原点を挟んで対称に配置され、第３受波器対を構成する２つの前記受波器が、前記座標原点を通りかつ前記ｘ軸および前記ｙ軸に直交するｚ軸上に、該座標原点を挟んで対称に配置され、ｘ軸とｙ軸とｚ軸のいずれか１つの軸は、前記壁面に対して垂直となるように設置され、前記座標原点と前記壁面との離間距離を取得し、受信した前記音波信号から前記座標原点における前記ｘ軸と前記ｙ軸と前記ｚ軸の各音響インテンシティベクトルを算出することによって、前記測位点の三次元座標を特定する。
【００１８】
このような三次元測位方法によれば、空間は壁面によって区画され、壁面には三次元座標が不明な測位点がある。測位点に音波信号を発信する送波器を設置し、音波信号を発信させる。発信された音波信号は、空間を伝播する。座標原点を壁面から離間した位置に設け、座標原点と壁面との離間距離を取得しておく。また、座標原点は、軸の一つが壁面に直交するように軸方向を定める。座標原点には音波信号を受信する受波器を、座標原点の各軸上に座標原点を挟んで対称に三対設ける。受波器は、各軸に対して２個ずつ設けられる。
音波信号が伝播する空間に設置された一対の受波器は、音波信号を２箇所の設置位置で受信する。受波器は座標原点を挟んで対称に設けられているので、２箇所の設置位置の中心は座標原点となる。受波器が２箇所の設置位置で受信した音波信号は、受波装置の演算部へ送信される。演算部へ送信された一対の音波信号から２箇所の中心位置となる座標原点における音響インテンシティベクトルが演算される。受波装置は各軸に一対ずつ設けられているので、座標原点の各軸に対する音響インテンシティベクトルを一度に求めることができる。また、三対同時に受信できるので計測時間を短縮できる。
空間に設けた座標原点は軸の一つが測位点を含む壁面に直交するように軸方向を定めているので、座標原点における各軸に対する３軸方向の音響インテンシティベクトルと、取得した原点と壁面との離間距離の関係から、測位点の三次元座標は幾何的に算出することができる。以上の方法を用いることにより、測位点の三次元座標を特定することができる。
【００１９】
本発明にかかる三次元測位方法は、前記壁面上にある任意の複数の前記測位点において、複数の前記測位点に設置された送波器を有する送波装置から発信される音波信号は、それぞれが異なる波形を有することを特徴とする。
このような三次元測位方法によれば、複数の測位点に設置された送波器から、それぞれ異なる波形の音波信号を発信させる。異なる波形とは、それぞれの測位点の音波信号が区別することのできる波形であり、例えば周波数の異なる音波信号が発信されることで区別することができる。異なる波形の音波信号を発信させたことによって、空間には異なる波形が混在する音波信号が伝播する。空間を伝播してきた音波信号を座標原点に設置した受波器で受信させる。受信した音波信号を、受波装置に備えられた増幅器によって増幅させ、バンドパスフィルターによって、波形別に振り分ける。振り分けた音波信号は、各測位点から発信された音波信号と比較することによって、発信源である測位点を同定させることが可能となる。したがって、本方法によって、複数の測位点の同定を同時に行うことができ、複数の測位点の三次元座標を同時求めることが可能となる。
【００２０】
本発明にかかる三次元測位方法は、複数の前記壁面上にある任意の複数の前記測位点において、複数の前記測位点に設置された送波器を有する送波装置から発信される音波信号は、それぞれが異なる波形を有することを特徴とする。
このような三次元測位方法によれば、複数の壁面上の複数の測位点に設置された送波器から、それぞれ異なる波形の音波信号を発信させる。異なる波形とは、それぞれの測位点の音波信号が区別することのできる波形であり、例えば周波数の異なる音波信号が発信されることで区別することができる。異なる波形の音波信号を発信させたことによって、空間には異なる波形が混在する音波信号が伝播する。空間を伝播してきた音波信号を受波器で一度に受信させる。受信した音波信号を、受波装置に備えられた増幅器によって増幅させ、バンドパスフィルターによって、波形別に分ける。振り分けた音波信号は、各測位点から発信された音波信号との比較によって、発信源である測位点を同定させることが可能となる。したがって、本方法によって、複数の壁面上の複数の測位点の同定を同時に行うことができ、これらの測位点の三次元座標を同時求めることが可能となる。
【発明の効果】
【００２１】
本発明によれば、ボイラ火炉等の面で囲まれる空間の内部の検査に用い、基準点を１箇所設けることで、床面に基準点を配置することが出来ない場合においても、測位したい点の三次元位置を特定することができる。
【図面の簡単な説明】
【００２２】
【図１】本発明の三次元受波装置のマイクロホンの配置と探査面を模式的に示した概略構成図である。
【図２】本発明のシステム構成を示したブロック図である。
【図３】本発明の各軸成分の音響インテンシティベクトルを示した概念図である。
【図４】本発明における測位点のｘ座標を求めるための説明図である。
【図５】本発明のおける測位点のｚ座標を求めるための説明図である。
【発明を実施するための形態】
【００２３】
以下に、本発明にかかる実施形態について、図面を参照して説明する。
［第１実施形態］
以下、本発明の第１実施形態について、図１から図５を用いて説明する。
図１には、ボイラ火炉壁面などの検査すべき面としての探査面１と、三次元受波装置３を構成している６個のマイクロホンの配置が模式的に表されている。
【００２４】
探査面１から離間した位置に、測位するための基準点となる、三次元受波装置３の座標原点２を設定する。座標原点２から探査面１までの最短距離Ａの値は、メジャーなどで計測し、後述する演算部１１内の取得部に取得させる。この取得方法としては、例えば、演算部の記録媒体に入力することによって行われる。
【００２５】
そして、音波信号を受信するための受波器としてのマイクロホンを、座標原点２の各軸上に座標原点２を挟んで対称となるように、ｘ軸上に２個のマイクロホン２１，２２、ｙ軸上に２個のマイクロホン２３，２４、ｚ軸上に２個のマイクロホン２５，２６の三対６個のマイクロホンを設置する。各軸のマイクロホンのペアは所定の間隔で固定されており、各軸上の三対６個のマイクロホンの位置は相対的に変化することがないように予め固定されていることが好ましい。なお、本実施形態において、ｘ軸、ｙ軸およびｚ軸は、それぞれが互いに直交している。
【００２６】
このとき、３つの軸のうちのいずれか一つの軸が探査面１に対して法線となるように位置決めを行う。図１においては、ｙ軸が探査面１に対して法線となるように設置されている。したがって、座標原点２と探査面１との最短距離Ａはｙ軸上の距離で表される。
【００２７】
探査面１上には、座標が不明であるマーキングすべき測位点１３がある。測位点１３上に音波信号を送信する送信器としてのスピーカー４を設置する。
【００２８】
図２には、三次元受波装置のシステム構成を示したブロック図が表されている。測位点１３上に設置されたスピーカー４は、パワーアンプ５によって駆動される。パワーアンプは、信号発生器６から発生した信号が送られているので、測位点１３上のスピーカー４から音波信号が発信される。
【００２９】
スピーカー４から発信された音波信号は、三次元受波装置３の三対６個のマイクロホンによって受信される。三次元受波装置は、ケーブル７によって、音波信号を増幅する増幅器８に接続されている。音波信号は、増幅器８によって増幅され、バンドパスフィルター９へ送られる。バンドパスフィルター９では、ノイズが取り除かれ、必要な波長帯域の音波信号が抽出され、波形記録装置１０へと送られる。波形記録装置１０では、ノイズ除去後の音波信号が所定の記録媒体に記録される。記録された音波信号は、演算部１１に送られ、後述する所定の演算が行われ、測位点１３の三次元座標が求められる。得られた三次元座標は、ディスプレイ等の表示器１２にて視認できるように表示される。
【００３０】
音波信号が伝播する空間に設置された一対の受波器は、音波信号を一対２個のマイクロホン２１，２２（または、マイクロホン２３，２４、または、マイクロホン２５，２６）、すなわち、２箇所の位置で受信する。マイクロホン２１，２２（または、マイクロホン２３，２４、または、マイクロホン２５，２６）は、座標原点２を挟んで対称に設けられているので、２箇所の設置位置の中心は座標原点２となる。したがって、マイクロホン２１，２２（または、マイクロホン２３，２４、または、マイクロホン２５，２６）が２箇所の設置位置で受信した一対の音波信号から２箇所の中心位置である座標原点２における音響インテンシティベクトルを演算することができる。他の二対に対しても同様に座標原点２における音響インテンシティベクトルを演算することができる。受波器が各軸に対して一対ずつ座標原点２に対称に設けられているので、座標原点２における各軸（ｘ軸、ｙ軸、ｚ軸）に対する音響インテンシティベクトル、すなわち、音圧のベクトル（単位としてはＰａまたはｄＢ）が一度に求められる。
【００３１】
図３には、各軸の音響インテンシティベクトルｘ´、ｙ´、ｚ´が表されている。測位点１３の三次元座標は、以下に説明するように、座標原点２における各軸の音響インテンシティベクトルと、座標原点２と探査面１との離間距離Ａから、幾何的に求めることが可能である。
【００３２】
測位点１３の座標の算出方法を図４及び図５を用いて説明する。探査面１上の測位点１３の三次元座標を（ｘ１，ｙ１，ｚ１）とする。本実施形態の場合、ｙ軸が探査面１に対して法線となるように三次元受波装置３が設置されているので、座標原点２と探査面１との離間距離Ａは、ｙ１と等価であり、Ａは取得されているので、既知である。
【００３３】
図４には、ｘ１を求めるための説明図が示されている。ｘ´とｙ´のベクトルの和であるベクトルｌ´とｙ軸が成す角度をθ´とすると、θ´と、ｘ１は次式で表される。これにより、ｘ１を求めることができる。
【数１】
2010203811.tif 000003
【００３４】
図５には、ｚ１を求めるための説明図が示されている。ベクトルｌ´と、座標原点２及び測位点１３を通る直線とで成される角度をθ１とする。ｚ１は、次式で表される。これにより、ｚ１を求めることができる。
【数２】
2010203811.tif 000004
【００３５】
以上の通り、本実施形態によれば、以下の作用効果を奏する。
このように、座標原点２には音波信号を受信する受波器としてのマイクロホン２１，２２，２３，２４，２５，２６が、座標原点２の各軸上に座標原点を挟んで対称に三対設置されている、すなわち、各軸に対して２個ずつ合計６個の受波器が設けられている構成とされた三次元受波装置３を用いることによって、音波信号が伝播する空間に設置された一対の受波器は、音波信号を２箇所の設置位置で受信する。受波器としてのマイクロホン２１，２２，２３，２４，２５，２６は座標原点２を挟んで対称に設けられているので、２箇所の設置位置の中心は座標原点２となる。したがって、一対のマイクロホン２１，２２（または、マイクロホン２３，２４、または、マイクロホン２５，２６）が２箇所の設置位置で受信した一対の音波信号から２箇所の中心位置である座標原点２における音響インテンシティベクトルを演算することができる。別の二対に対しても同様に座標原点２における音響インテンシティベクトルを演算することができる。受波器マイクロホン２１，２２，２３，２４，２５，２６が各軸に対して一対ずつ設けられているので、座標原点２における各軸に対する音響インテンシティベクトルが一度に求められる、という作用がある。したがって、従来は広い範囲に複数（３点以上）の基準点を設けるためのマイクロホンを設置する必要があったが、１箇所にまとめて設置することができるので、設置準備に要する時間を短縮できる。さらに、三対６個のマイクロホン２１，２２，２３，２４，２５，２６の相対位置関係が変化しないように予め固定されたものを用いることによって、より迅速に設置準備を行うことができる。
【００３６】
また、従来は、各マイクロホン２１，２２，２３，２４，２５，２６の座標が必要であり、校正作業に時間を要していたが、同じく１箇所に纏めてあるため、座標校正を迅速に行うことができる。
【００３７】
また、計測時においても、三つの軸方向のための三対のデータを同時に受信できるので、軸ごとに計測する必要がなく、三軸の音響インテンシティベクトルを一度に求めることができるので、計測時間が短縮でき、計測時の違いによる計測誤差を生ずることがない。
【００３８】
［第２実施形態］
次に、本発明の第２実施形態について説明する。
第１実施形態では１箇所の測位点の三次元座標を取得することを目的としていたが、第２実施形態では、複数の測位点の三次元座標を一度に取得することを目的としている点で異なる。
【００３９】
複数の測位点がある場合には、各測位点に設置されたスピーカー４から、それぞれ、異なった波形の音波信号を発信させる。異なる波形とは、それぞれの測位点の音波信号が区別することのできる波形であり、例えば周波数の異なる音波信号が発信されることで区別することができる。
【００４０】
異なる波形の音波信号を発信させたことによって、空間には異なる波形が混在する音波信号が伝播する。空間を伝播してきた音波信号を座標原点２に設置した三次元測位装置３で受信させる。発信された音波信号は第１実施形態と同様の三次元受波装置３のもので良い。受信された音波信号は、増幅器８によって増幅され、バンドパスフィルター９によって、波形別に振り分けられる。振り分けられた音波信号は、各測位点１３から発信された音波信号と比較することによって、発信源である測位点１３を同定させることが可能となる。したがって、複数の測位点１３の同定を同時に行うことができ、複数の測位点１３の三次元座標を同時求めることが可能となる。
【００４１】
同じ壁面上の複数の測位点１３がある場合のほかに、壁面１が複数存在し、それぞれに複数の測位点１３がある場合にも同様に三次元座標を取得することができる。基準点が４面のボイラ火炉壁のような面で囲まれる空間、例えば、第１の壁面に対して直角を成す第２の壁面、第１の壁面に平行に対向する第３の壁面、第２の壁面に平行に対向し第１の壁面と直角を成す第４の壁面、の４面で囲まれた空間内に基準点を設置した場合においては、基準点を囲む複数の壁面が互いに直角に形成されているので、基準点を通る３軸のいずれかの軸はいずれかの壁面に対して法線となる。したがって、それぞれの壁面にある任意の測位点は、どの壁面に存在するのかを区別することによって、同様に三次元座標を適宜、幾何的に算出することが可能となる。すなわち、測位点１３を有する壁面１に対して、直角を成す別の壁面に測位したい点がある場合には、測位点ごとに異なる波形の音波信号を発信させることによって、同時に三次元測位を行うことができる。
【００４２】
従来は、ボイラ火炉壁１面毎、状況によっては、１箇所ごとに計測を行い、マイクロホンも都度設置していた。しかし、本実施形態のように測位点ごとに異なった波形、例えば、異なった周波数の音波信号を発信させることで、基準点である三次元受波装置３がこれらの音波信号をまとめて受信し、受信データの波形解析を行うことによって音源位置の同定が可能となる。音源位置を同定されたデータから、それぞれの音響インテンシティベクトルが算出され、それぞれに対応する三次元座標値が幾何的に求められる。
以上から、複数の測位点を一度に迅速に三次元測位することが可能となる。
【符号の説明】
【００４３】
１  探査面
２  座標原点
３  三次元受波装置
４  スピーカー
５  パワーアンプ
６  信号発生器
７  ケーブル
８  増幅器
９  バンドパスフィルター
１０  波形記録装置
１１  演算部
１２  表示器
１３  測位点
２１，２２，２３，２４，２５，２６  マイクロホン
【図１】
2010203811.tif 000005
【図２】
2010203811.tif 000006
【図３】
2010203811.tif 000007
【図４】
2010203811.tif 000008
【図５】
2010203811.tif 000009